(57)【特許請求の範囲】
【請求項１】
絶縁体で被覆された同軸ケーブルの内部導体を、他端に内筒より短い外筒が折り返し形成された内外二重構造の短筒体に内筒突出側より挿通し、続いて、両端に外筒を折り返し形成して両端部が内外二重構造となった長筒体に挿通し、前記短筒体と長筒体との間に誘電体スペーサを挟み込んで内部導体の先端部を長筒体の他端から突出させ、内部導体には、基端側にコネクタをかしめ手段により取り付けると共に、他端部分に誘電体キャップを被せ、そのようにして短筒体と長筒体とが組み付けられた内部導体を可撓性を有する誘電体カバー内に収容して成るアンテナ。
【請求項２】
前記長筒体は、誘電体スペーサを挟み込んで複数が直列に接続配置されている請求項１に記載のアンテナ。
【発明の詳細な説明】
【０００１】
【発明の属する技術分野】
本発明は、ロッド状に形成され、高性能で信頼性に優れたアンテナに関する。
【０００２】
【従来の技術】
ロッド状のアンテナとしては、従来図６に例示するように、コイルスプリング状に捲回させて丈を低くしたアンテナエレメント１３をフレキシブルチューブ１４内に収容し、外観をロッド状に形成したヘリカルアンテナが知られている。
【０００３】
【発明が解決しようとする課題】
前記ヘリカルアンテナは、アンテナエレメントがコイル状に捲回されたものであるから、どの部分でも自由に屈曲可能な反面、利得が低下したり放射特性が悪くなるなどの欠点を有し、特に、振動を受けるなどして屈曲した場合にはアンテナエレメントにおけるループ相互の間隔が不均一になって、インピーダンスが変化してしまう不都合があった。
又、アンテナエレメントをコイル状に捲回させたり、コネクタとの接続部をハンダ付けしなくてはならないから、製造工程が複雑化すると共に、繰り返し屈曲させることによって接続部が外れたり接触不良を起こしやすく信頼性に問題があった。
【０００４】
【課題を解決するための手段】
本発明は、性能の安定化と信頼性の向上を目的としたアンテナであって、その構成は、絶縁体で被覆された同軸ケーブルの内部導体を、他端に内筒より短い外筒が折り返し形成された内外二重構造の短筒体に内筒突出側より挿通し、続いて、両端に外筒を折り返し形成して両端部が内外二重構造となった長筒体に挿通し、前記短筒体と長筒体との間に誘電体スペーサを挟み込んで内部導体の先端部を長筒体の他端から突出させ、内部導体には、基端側にコネクタをかしめ手段により取り付けると共に、他端部分に誘電体キャップを被せ、そのようにして短筒体と長筒体とが組み付けられた内部導体を可撓性を有する誘電体カバー内に収容して成ることにある。
又、前記長筒体は、誘電体スペーサを挟み込んで複数を直列に接続配置することができる。
【０００５】
【発明の実施の形態】
本発明に係るアンテナの実施例を、図面に基づいて説明する。
図１はアンテナの構成部材を示したもので、１は内部導体、２，３は夫々放射エレメントとしての短筒体及び長筒体であって、前記内部導体１には、同軸ケーブルにおける外皮体と外部導体とを取り除いて絶縁体４ａで被覆された中心導体４が利用され、その内部導体１の片端側には、外皮体５ａと外部導体５ｂとを有した適宜長さの同軸ケーブル部５が残され、又他端側の先端には、λ／４（λ＝波長）に相当する長さ分、絶縁体４ａが取り除かれて中心導体４を露出させた形態に加工されている。
短筒体２は、他端に内筒２ａより短く、λ／４に相当する長さの外筒２ｂが折り返し形成され、外筒２ｂの先端から他端側に突出した内筒２ａ外周の内筒突出際部分が誘電体６で覆われた内外二重構造になっていて、長筒体３は、内筒３ａの両端に、λ／４に相当する長さの外筒３ｂ，３ｂを夫々折り返し形成することにより両端部に内外二重構造部を備え、前記外筒３ｂ，３ｂ間にあたるλ／２に相当する長さの内筒３ａの外周が誘電体７で覆われ、前記短筒体２、長筒体３のいずれも導電体（実施例は真鍮製）でユニット状に形成されている。
前記誘電体７には、軸と並行なスリット状の肉抜き７ａ，７ａ・・が設けられており、それによって軽量化が図られている。
【０００６】
前記内部導体１の他端側に残された同軸ケーブル部５には、他側に中心導体４とコネクタピン８ａとを電気的に接続し、その中心導体４を絶縁体４ａとともにコネクタ８の中心に突設された中心導体挿入筒８ｂ内に挿入する一方、中心導体挿入筒８ｂを絶縁体４ａと外部導体５ｂとの間に押し込んで外部導体５ｂと中心導体挿入筒８ｂとを電気的に接続したコネクタ８が装着される。
又外皮体５ａと外部導体５ｂとが取り除かれた内部導体１は、前記短筒体２の他端側に突出している内筒２ａ内へ挿通し、その内筒２ａを、絶縁体４ａと外部導体５ｂとの間に押し込むことによって短筒体２の内筒２ａと内部導体１の外部導体５ｂとが電気的に接続されている。
そして前記同軸ケーブル部５の両端は、外周に嵌着されたフェルール９，９のかしめによって、短筒体２とコネクタ８とに対して取り付け固定されている。
【０００７】
更に前記内部導体１は、短筒体２に続いて長筒体３の内筒３ａに挿通され、前記短筒体２と長筒体３の間には誘電体スペーサ１０が介在されると共に、長筒体３から突出した内部導体１の他端部分には、誘電体キャップ１１を被せることにより、その内部導体１の突出先端部外周が誘電筒体で覆われたものとなっている。そして前記内部導体１に短筒体２と長筒体３とが組み付けられたアンテナは、可撓性を有した誘電体カバー１２内に収容される（図２）。
【０００８】
このように形成されたアンテナは、図３の等価回路で示す如く、下段に、短筒体２の外筒２ｂと長筒体３の片端側に位置する外筒３ｂとを放射エレメントとした電流分布Ａにより半波長円筒形ダイポールとしての作用をするアンテナを形成し、上段は長筒体３の他端側に位置する外筒３ｂと長筒体３から突出した内部導体１の他端部分とを放射エレメントとした電流分布Ｂによりスリーブアンテナとしての作用をさせ、且つ両アンテナの間隔をλとなるように設定したから、上下二段のアンテナにおける電流分布が同相となって高い利得が得られる。
因に１９０６．５５ＭＨｚにおいて４．５ｄＢもの高利得が確認され、放射特性は、図４の水平面指向性能図に例示するように、従来アンテナの８の字特性に比べて優れた指向性を発揮することが確認された。
そしてこのアンテナは、内部導体を短筒体と長筒体及び誘電筒とに挿通するだけで完成させられるから、製造が簡単であるし、複数の部材が内部導体で連結された構造によって屈曲性が確保されるし、内部導体とコネクタとをかしめにより接続する構造により、製造が簡単となるばかりか、アンテナに外力が加わっても接続部が破損せず、屈曲した場合でも特性が変化することがない。
又、内部導体に同軸ケーブルを利用したので、安価にて製造できるし、特に基端部は、同軸ケーブル部によって図２に示すように大きく屈曲しやすい構造となる。
【０００９】
前記実施例は一部に外皮体と中心導体とを残した同軸ケーブルを使用しているが、外皮体と中心導体とを総て取り除いて同軸ケーブル部を省略しても差し支えなく、利用する同軸ケーブルの種類は問わないし、短筒体と長筒体、又は長筒体同士の間に挟み込まれる誘電体スペーサ以外の誘電体部材は省略可能である。本発明のアンテナは、三段、或はそれ以上の多段に構成することもでき、三段の場合は図５に例示するように、内部導体１をλに相当する分延長すると共に、長筒体３を一つ追加し、誘電体スペーサ１０を挟み込んで二つの長筒体３，３を直列に接続配置すれば、互いにλに相当する間隔を保ち、電流分布Ａ，Ａにより半波長円筒形ダイポールとしての作用をする二つのアンテナと、一つの電流分布Ｂによりスリーブアンテナとしての作用をする部分とが形成され、より高利得のアンテナとなる。
【００１０】
【発明の効果】
本発明によれば、放射エレメントが、ユニット状に形成された短筒体と長筒体の各内外二重構造部分と中心導体の先端部分とで構成される構造であるから、内部導体を短筒体と長筒体とへ順に挿通さるだけで簡単に、且つ安価に製造できるし、屈曲性が確保され、屈曲による特性変化の心配もない。
而も、コネクタとの接続部分にかしめ手段を利用しているから、信頼性も向上するし、複数の長筒体を、誘電体スペーサを挟み込んで直列に接続配置すれば、多段構成となって利得が向上する。
又、誘電体カバー内に収容することにより、外部応力に対する保護も完璧となる。
【図面の簡単な説明】
【図１】本発明に係るアンテナの構成部材を示す説明図である。
【図２】組み付けられたアンテナを示す説明図である。
【図３】アンテナの等価回路図である。
【図４】アンテナの水平面指向性能図である。
【図５】変更例の等価回路図である。
【図６】従来例の説明図である。
【符号の説明】
１・・内部導体、２・・短筒体、３・・長筒体、２ａ，３ａ・・内筒、２ｂ、３ｂ・・外筒、４・・中心導体、５・・同軸ケーブル部、５ａ・・外皮体、５ｂ・・外部導体、６，７・・誘電体、７ａ・・肉抜き、８・・コネクタ、８ａ・・コネクタピン、８ｂ・・中心導体挿入筒、９・・フェルール、１０・・誘電体スペーサ、１１・・誘電体キャップ、１２・・誘電体カバー、１３・・アンテナエレメント、１４・・フレキシブルチューブ、Ａ，Ｂ・・電流分布。
【図１】
0003676493.tif 000002
【図２】
0003676493.tif 000003
【図３】
0003676493.tif 000004
【図４】
0003676493.tif 000005
【図５】
0003676493.tif 000006
【図６】
0003676493.tif 000007